(57)【要約】【課題】要介護者又は要管理者自身及びその周囲の状況情報を迅速且つ確実に、介護者又は管理者に伝達すると共に、情報の漏洩を防止する。【解決手段】本発明のシステム１は、各種センサー２Ａ〜２Ｄからの感知信号を受信し、センサーの番号情報及びその感知信号と自身が発生する装置番号情報とを含んだ状況情報を他の装置に送信する状況情報送信装置３Ａ〜３Ｃと、送信装置３又は中継転送装置５Ａ及び５Ｂからの状況情報を受信する状況情報受信装置４と、送信装置３から状況情報を増幅して他の装置に転送する中継転送装置５Ａ及び５Ｂと、中継転送装置５Ａ及び５Ｂからの状況情報を受信し、これを受信装置４に送信する状況情報送受信装置６と、中継転送装置５Ａ及び５Ｂを介して受信した状況情報を分析し、該状況情報を集計、管理すると共に、状況情報を要求する者に対して状況情報を送信する集中管理センター７とから構成される。【選択図】　　　　図１
2004086817.tif 000002
【特許請求の範囲】
【請求項１】
要介護者、要管理者又は身体障害者等の被感知対象者自身及びその周囲の状況を感知し、自身の装置（感知手段）番号情報及び前記感知情報を含む状況情報を状況情報送信装置に有線で送信する１つ以上の状況感知装置と、
前記状況感知装置からの状況情報に自身の装置（送信装置）番号情報を付加した状況情報を複数の携帯型状況情報受信装置、携帯型状況情報送受信装置及び第１の状況情報中継転送装置に法定内の特定の周波数の電波又は微弱若しくは特定小電力の特定の周波数の電波で送信する１つ以上の状況情報送信装置と、
前記状況情報送信装置から送信された電波強度が受信可能な場合は、前記状況情報を直接受信し、前記電波強度が受信不能の場合は、第１の状況情報中継転送装置、第２の状況情報中継転送装置又は携帯型状況情報送受信装置を介して受信し、この状況情報から被感知対象者自身及びその周囲の状況を認識、分析し、前記状況情報をこの装置の携帯者に伝達する１つ以上の携帯型状況情報受信装置と、
前記状況情報送信装置からの電波を増幅して無線により直接、携帯型状況情報受信装置若しくは携帯型状況情報送受信装置に送信、又は前記増幅した状況情報信号を電話回線や電力回線を介して第２の状況情報中継転送装置若しくは集中管理センターに送信する第１の状況情報中継転送装置と、
前記第１の状況情報中継転送装置から電話回線又は電力回線を介して転送された状況情報を無線により送信する第２の状況情報中継転送装置と、
前記状況情報送信装置から送信された状況情報を直接又は第１の状況情報中継転送装置を介して受信し、この状況情報から被感知対象者自身自身及びその周囲の状況を認識、分析し、前記状況情報をこの装置の携帯者に伝達すると共に、必要応じて携帯型状況情報受信装置に前記状況情報、連絡情報又はアラーム情報を送信する１つ以上の携帯型状況情報送受信装置と、
前記状況情報送信装置からの状況情報を第１の状況情報中継転送装置を介して受信し、この状況情報から被感知対象者自身及びその周囲の状況を集計、分析し、経時変化、履歴状況情報を作成し、これら集計又は分析した前記各種状況情報を保管管理する集中管理センターと、
からなる状況情報告知システム。
【請求項２】
前記状況感知装置が、各種センサー並びに音声認識及び電波認識による感知手段を有する請求項１に記載の状況情報通信表示システム。
【請求項３】
前記携帯型状況情報受信装置及び携帯型状況情報送受信装置は、腕時計型、ペンダント型、ブレスレット型、ポケベル型、ブローチ型の何れか１つで且つ時計機能を有する請求項１に記載の状況情報通信表示システム。
【請求項４】
前記状況感知装置、携帯型状況情報送信装置、携帯型状況情報送受信装置、第１の状況情報中継転送装置及び第２の状況情報中継転送装置から送信する状況情報が、夫々が異なる間隔で一定の時間繰り返し送信（リピート機能）する請求項１に記載の状況情報通信表示システム。
【請求項５】
身障者又は介護者自身が前記状況情報送受信装置又は電波発振器を携帯することにより、状況情報送受信装置又は電波発振器から送信される電波を前記状況感知装置が感知又は認識して、感知情報として状況情報送信装置に送信し、状況情報送信装置は前記感知情報に基づいて装置番号情報を含む状況情報を送信し、前記身障者又は介護者が存在する領域外にある状況情報受信装置、状況情報送受信装置又は集中管理センターは前記状況情報送信装置から送信された前記状況情報を受信し、該状況情報から前記状況情報送受信装置又は電波発振器を携帯している身障者又は介護者の位置及び周囲の状況を認識する請求項１に記載の状況情報通信表示システム。
【請求項６】
前記携帯型状況情報送信装置により状況情報中に組み込まれる当該システム固有の認証情報と、前記状況情報を受信する携帯型状況情報受信装置、携帯型状況情報送受信装置、第１の状況情報中継転送装置、第２の状況情報中継転送装置又は集中管理センターの各装置が保有する認証情報とが一致した場合のみ、前記各装置は前記状況情報を受信可能にする請求項１に記載の状況情報通信表示システム。
【発明の詳細な説明】
【０００１】
【発明の属する技術分野】
本発明は、要介護老人や身体障害者の介護又は徘徊老人や幼児の管理を行う際に用いる状況情報告知システムに関する。
【０００２】
【従来の技術】
従来、盗難・警備システム等において、各種センサーからの状況情報を集中管理して、契約者に対して状況情報を提供するものがあるが、これらの状況情報としては盗難情報や、他人の侵入情報、火災情報等が主で、このような状況情報の提供が前記要介護老人や身体障害者の介護や徘徊老人や幼児の管理のためのものではないし、身体障害者の障害部分を補助するものでもない。要看護者又は要管理者自身の状況及びその周囲の状況情報を介護者又は管理者に告知したり、身体障害者の障害部分を補助するものは少ない。
【０００３】
【発明が解決しようとする課題】
本発明は前記問題点を解消するもので、本発明の目的は、要介護老人や身体障害者の介護又は徘徊老人や幼児の管理を行う際に、介護者、管理者又は身体障害者等に、要看護者、要管理者又は身体障害者自身の状況及びその周囲の状況情報を法定内の無線電波を用いて迅速で確実に且つ情報の漏洩を守りつつ、低コストで伝達することである。
【０００４】
【課題を解決するための手段】
本発明は、要介護者、要管理者又は身体障害者等の被感知対象者自身及びその周囲の状況を感知し、自身の装置（感知手段）番号情報及び前記感知情報を含む状況情報を状況情報送信装置に有線で送信する１つ以上の状況感知装置と、
前記状況感知装置からの状況情報に自身の装置（送信装置）番号情報を付加した状況情報を複数の携帯型状況情報受信装置、携帯型状況情報送受信装置及び第１の状況情報中継転送装置に法定内の特定の周波数の電波又は微弱若しくは特定小電力の特定の周波数の電波で送信する１つ以上の状況情報送信装置と、
前記状況情報送信装置から送信された電波強度が受信可能な場合は、前記状況情報を直接受信し、前記電波強度が受信不能の場合は、第１の状況情報中継転送装置、第２の状況情報中継転送装置又は携帯型状況情報送受信装置を介して受信し、この状況情報から被感知対象者自身及びその周囲の状況を認識、分析し、前記状況情報をこの装置の携帯者に伝達する１つ以上の携帯型状況情報受信装置と、
前記状況情報送信装置からの電波を増幅して無線により直接、携帯型状況情報受信装置若しくは携帯型状況情報送受信装置に送信、又は前記増幅した状況情報信号を電話回線や電力回線を介して第２の状況情報中継転送装置若しくは集中管理センターに送信する第１の状況情報中継転送装置と、
前記第１の状況情報中継転送装置から電話回線又は電力回線を介して転送された状況情報を無線により送信する第２の状況情報中継転送装置と、
前記状況情報送信装置から送信された状況情報を直接又は第１の状況情報中継転送装置を介して受信し、この状況情報から被感知対象者自身自身及びその周囲の状況を認識、分析し、前記状況情報をこの装置の携帯者に伝達すると共に、必要応じて携帯型状況情報受信装置に前記状況情報、連絡情報又はアラーム情報を送信する１つ以上の携帯型状況情報送受信装置と、
前記状況情報送信装置からの状況情報を第１の状況情報中継転送装置を介して受信し、この状況情報から被感知対象者自身及びその周囲の状況を集計、分析し、経時変化、履歴状況情報を作成し、これら集計又は分析した前記各種状況情報を保管管理する集中管理センターと、
からなる状況情報告知システムである。
【０００５】
本発明は、前記状況感知装置が、各種センサー並びに音声認識及び電波認識による感知手段を有する状況情報通信表示システムである。
【０００６】
本発明は、前記携帯型状況情報受信装置及び携帯型状況情報送受信装置は、腕時計型、ペンダント型、ブレスレット型、ポケベル型、ブローチ型の何れか１つで且つ時計機能を有する状況情報通信表示システムである。
【０００７】
本発明は、前記状況感知装置、携帯型状況情報送信装置、携帯型状況情報送受信装置、第１の状況情報中継転送装置及び第２の状況情報中継転送装置から送信する状況情報が、夫々が異なる間隔で一定の時間繰り返し送信（リピート機能）する状況情報通信表示システムである。
【０００８】
本発明は、身障者又は介護者自身が前記状況情報送受信装置又は電波発振器を携帯することにより、状況情報送受信装置又は電波発振器から送信される電波を前記状況感知装置が感知又は認識して、感知情報として状況情報送信装置に送信し、状況情報送信装置は前記感知情報に基づいて状況情報及び装置番号情報からなる状況情報を送信し、前記身障者又は介護者が存在する領域外にある状況情報受信装置、状況情報送受信装置又は集中管理センターは前記状況情報送信装置から送信された状況情報を受信し、該状況情報から前記状況情報送受信装置又は電波発振器を携帯している身障者又は介護者の位置を検出する状況情報通信表示システムである。
【０００９】
本発明は、前記携帯型状況情報送信装置により状況情報中に組み込まれる当該システム固有の認証情報と、前記状況情報を受信する携帯型状況情報受信装置、携帯型状況情報送受信装置、第１の状況情報中継転送装置、第２の状況情報中継転送装置又は集中管理センターの各装置が保有する認証情報とが一致した場合のみ、前記各装置は前記状況情報を受信可能にする状況情報通信表示システムである。
【００１０】
【発明の実施の形態】
本発明の状況情報通信表示システム１は、痴呆症の老人や身体障害者等の要介護者又は幼児や知的障害者等の要管理者自身の状況及びその者の周囲の状況、例えば、前記要介護者又は要管理者が建物（自宅、病院、託児所、保育園等）又はその敷地の内又は外の何れの場所にいるのか、そして、その要介護者又は要管理者の周囲の状況がどのような状況にあるかを、要介護者又は要管理者から離れた位置にいる介護者又は管理者に伝達することができる状況情報通信表示システムである。また、要介護者又は要管理者以外にも、身体障害者等にもこのシステムは有効である。例えば、視覚障害者に対しては視覚に関する状況情報を、聴覚障害者に対しては聴覚に関する状況情報を、夫々提供することにより、日常生活をより快適なものとすることができる。
【００１１】
本発明の状況情報通信表示システム１は、図１に示すように、１つ以上の各種センサー２が接続された１つ以上の状況情報送信装置３と、１つ以上の状況情報受信装置４と、第１の情報中継転送装置５Ａと、第２の情報中継転送装置５Ｂと、１つ以上の状況情報送受信装置６と、集中管理センター７とから構成される。
【００１２】
更に、詳細には、前記状況情報通信表示システム１は、図１に示すように、
要介護者、要管理者又は身体障害者等の被感知対象者自身及びその周囲の状況を感知し、自身の装置（センサー）番号情報及び感知情報を含む状況情報を状況情報送信装置３に有線で送信する１つ以上の各種センサー２Ａ〜２Ｄと、
前記各種センサー２Ａ〜２Ｄからの状況情報に自身の装置（送信装置）番号情報を付加した状況情報を、前記状況情報送受信装置４及び第１の状況情報中継転送装置５Ａに法定内の特定の周波数の電波で、又は微弱若しくは特定小電力の特定の周波数の電波で送信する１つ以上の状況情報送信装置３と、
前記状況情報送信装置３から送信された電波が受信可能な場合は、状況情報を直接受信し、前記電波が受信不能の場合は、第１の状況情報中継転送装置５Ａ、第２の状況情報中継転送装置５Ｂ又は状況情報送受信装置６を介して受信し、この状況情報から被感知対象者自身自身及びその周囲の状況を認識、分析し、前記状況情報をこの装置の携帯者に伝達する１つ以上の状況情報受信装置４と、
前記状況情報送信装置３からの電波を増幅して無線により直接、状況情報受信装置４若しくは状況情報送受信装置６に送信又は前記増幅した状況情報信号を電話回線や電力回線を介して第２の状況情報中継転送装置５Ａ若しくは集中管理センター７に送信する第１の状況情報中継転送装置５Ａと、
前記第１の状況情報中継転送装置から電話回線又は電力回線を介して転送された状況情報を増幅して無線により送信する状況情報中継転送装置５Ｂと、
前記状況情報送信装置３から送信された状況情報を直接又は第１の状況情報中継転送装置５Ａ若しくは第２の状況情報中継転送装置５Ｂを介して受信し、この状況情報から被感知対象者自身及びその周囲の状況を認識、分析し、前記状況情報をこの装置の携帯者に伝達すると共に、必要応じて状況情報受信装置４に前記状況情報、連絡情報又はアラーム情報を送信する１つ以上の状況情報送受信装置６と、
前記状況情報送信装置３からの状況情報を第１の状況情報中継転送装置５Ａを介して受信し、この状況情報から被感知対象者自身及びその周囲の状況を集計、分析し、経時変化、履歴状況情報を作成し、これら集計又は分析した前記各種状況情報を保管管理する集中管理センター７と、から構成される。
【００１３】
前記状況情報送信装置３は前記各種センサー２Ａ〜２Ｄから発信された感知信号２ａ〜２ｄに自身の送信装置ＮＯ（ナンバー）情報を付した状況情報を他の装置、即ち、状況情報受信装置４、状況情報送受信装置６又は第１の情報中継転送装置５Ａに法定内の特定の周波数の電波で、又は微弱若しくは特定小電力の特定の周波数の電波で送信する。
前記センサー２は周囲の状況を感知するためのもので、センサー２の種類としては音声、静電気、赤外線、電流、電圧、煙、ガス、紫外線、水等を感知すると共に、音声認識手段及び／又は電波認識手段を具備する。音声センサー、静電気センサー及び赤外線センサーは人間の接近を感知するためのものであり、音声認識手段は人間と他の物から発生する声又は音とを区別して認識する。電流センサー及び電圧センサーは室内の電機器具の稼働状態又は漏電を感知するためのものであり、電波認識手段は前記電流センサー及び電圧センサーからの情報から電波の認識・区別を行う。煙センサー及び赤外線センサーは暖房器具又は調理器具の稼働や、火災の発生を感知するためのものであり、ガスセンサーはガス漏れを検感知するためのものであり、水センサーは水漏れを検感知するためのものである。例えば、痴呆症の老人や幼児等においては、その者がどの場所に居るかを認識する必要があり、人間の存在又は接近を感知する音声センサー、赤外線センサー、静電気センサー等の各種センサーと音声認識手段及び／又は電波認識手段を用いる。
【００１４】
状況情報送信装置３の具体的な構成及び動作の一例を図２を用いて、以下に説明する。
状況情報送信装置３は各種センサー２Ａ〜２Ｄから送出される感知信号を増幅器３１で増幅し、Ａ／Ｄ変換器３２でディジタル信号に変換し、データ処理部３３（ＣＰＵ３３Ａ、ＲＯＭ３３Ｂ、ＲＡＭ３３Ｃから構成される。）は何れのセンサーからの如何なる内容の感知信号であるかを判別し、その判別内容から後述の伝送データフォーマット中のセンサー固有の表示ビットＳＢ及び伝送情報ビットＴＢを作成すると共にシステム固有の表示ビットＩＤを更に挿入して、伝送データフォーマットを作成し、前記伝送データフォーマットからなる状況情報信号を波形整形回路３４で波形整形し、この信号を発振回路３５Ａで発振する所定周波数の信号で変調回路３５により変調した後、高周波増幅回路３６で増幅し、該増幅された状況信号はアンテナ回路３７を介して送信アンテナ３８から、特定小電力の微小電波により送信される。
【００１５】
前記状況情報送信装置３から状況情報受信装置４、状況情報送受信装置６又は第１の情報中継転送装置５Ａに送信される状況情報である伝送データは、図８に示すような伝送データフォーマットからなる法定内の周波数で微弱又は特定小電力の電波により行われる。伝送データフォーマットはスタートビットとストップ（又はエンド）ビットの間にパリティービット及びダミービットを挟んでセンサー固有の表示ビットＳＢ、システム固有の表示ビットＩＤ、伝送情報ビットＴＢ及び中継情報ビットＲＢから構成され、前記センサー表示ビットＳＢはどの位置に配置された、どの種類のセンサーであるかを示すデータであり、システム固有の表示ビットＩＤは当該システムの利用者共通に与えられる認証データであり、伝送情報表示ビットＴＢは状況内容を具体的に表現するデータであり、中継情報ビットＲＢは第１の情報中継転送装置５Ａ又は第２の情報中継転送装置５Ｂが記入する情報である。なお、前記伝送データフォーマットは必要に応じて、その全体のビット数及びビット構成等を変更することができる。
【００１６】
そして、各状況情報送信装置３（例えば、３Ａ〜３Ｃ）から送信されるフォーマット化された送信データ（例えば、３２ビット）は、図９に示すように、夫々が異なる間隔で一定の時間繰り返し送信（リピート機能）されるので、各状況情報送信装置３から送信される送信信号間で衝突又は緩衝する確率は低くなる（信号衝突防止機能又は信号緩衝防止機能）。また、各種センサー２Ａ〜２Ｄから感知信号２ａ〜２ｄを状況情報送信装置３に送信する際にも、同様に夫々の送信信号が異なる間隔で一定の時間繰り返し送信（リピート機能）するようにしてもよい。
【００１７】
送信信号の衝突又は緩衝を防止する状況情報送信装置３の他の実施例として、図３に示す状況情報送信装置３’がある。
この状況情報送信装置３’は各センサーからの感知信号を一時貯蔵するレジスタＭをＡ／Ｄ変換器３２の後に夫々設け、レジスタＭに貯蔵された感知信号を順次スキャンニングして順次取り出すことにより、各センサーからの感知信号の衝突又は緩衝を防止するものである。図３に示す回路構成のうち他の部分は図２のものと同じ構成であるから、説明を省略する。
【００１８】
状況情報受信装置４及び状況情報送受信装置６は状況情報送信装置３から送信された送信器ＮＯ情報及び感知信号２ａ〜２ｄからなる状況情報を受信すると、携帯者に対してバイブレータの振動、発光又は音声又はこれらの何れかの組み合わせにより、この状況情報の受信を知らせると共に、状況情報の内容を分析して感知信号２ａ〜２ｄが何を意味し、どの位置の状況情報送信装置３から送信されたかを振動、液晶や発光ダイオード等による表示又は音声で知らせる。
【００１９】
状況情報受信装置４又は状況情報送受信装置６を介護者又は管理者が携帯して状況情報を得る方法以外に、身障者又は介護者自身が状況情報受信装置４又は状況情報送受信装置６を携帯して状況情報を得ることにより、障害又は不便な点を補うことができる。この場合は前記状況情報送信装置３と状況情報受信装置４又は状況情報送受信装置６とからなるシステム構成で足りる。その一例としては、聴覚障害のある人の場合は、状況情報受信装置４又は状況情報送受信装置６のバイブレータの振動及び液晶や発光ダイオードによる表示器により状況情報を認識することができるし、視覚障害のある人の場合は、状況情報受信装置４又は状況情報送受信装置６のバイブレータの振動及び音声により状況情報を認識することができる。
【００２０】
また、身障者又は介護者自身が状況情報送受信装置６を携帯して、この送受信装置６の送信機能を積極的に利用する方法がある。状況情報送受信装置６を携帯した身障者又は介護者自身がセンサー２Ａ〜２Ｄの存在する領域内にいる場合、状況情報送受信装置６から送信される電波をセンサー２Ａ〜２Ｄが感知又は認識し、この感知情報はこれらと有線接続（ネット接続）されている状況情報送信装置３に取り込まれ、状況情報送信装置３から送信装置番号情報を含む状況情報が外部に送信される。前記身障者又は介護者が存在する領域外にある状況情報受信装置４、状況情報送受信装置６又は集中管理センター７は前記状況情報送信装置３から送信された送信装置番号情報を含む状況情報から身障者又は介護者の存在位置及びその周囲の状況を認識することができる。なお、前記身障者又は介護者自身が状況情報送受信装置６の代わりに電波を発振する発振器等を携帯することにより、同様の目的を達成することができる。
【００２１】
更に、状況情報送受信装置６はその送信機能と受信機能、電話回線、携帯電話（ｉメール）等の連絡機能を用いて、集中管理センター７と連絡をとり、過去の状況情報の履歴情報や他の状況情報送信装置３からの状況情報等を送信してもらうことができる。更に、他の携帯用送受信器４と連絡をとることもできる。
【００２２】
状況情報受信装置４の具体的な構成及び動作の一例を、図４を用いて、以下に説明する。
状況情報受信装置４において、前記状況情報送信装置３から送信された状況情報信号は受信アンテナ４０で受信され、該受信信号のうちフィルタ回路４１で所定の周波数のみ通過させ、該通過した受信信号を高周波増幅回路４２で増幅し、該増幅した受信信号を発振回路４３Ａが発振する所定の周波数の信号で復調回路４３で復調し、該信号を波形整形回路４４で波形整形した後、該状況情報信号をデータ処理部４５（ＣＰＵ４５Ａ、ＲＯＭ４５Ｂ、ＲＡＭ４５Ｃから構成される。）で、その内容を認識分析した後、ＲＡＭ４５Ｃに保存する。
【００２３】
状況情報送信装置３から受信した状況情報の到達の告知及びその内容を携帯者に伝達する伝達手段として、以下の方法がある。
振動により伝達する場合は、データ処理部４５からの起動信号によりモーター駆動部４７Ｃ及びバイブレーションモーター４７ｃが駆動して振動部（図示せず。）を振動させる。
視覚により伝達する場合は、データ処理部４５からの起動信号及び状況情報を液晶駆動回路４７Ｂを介して液晶表示パネル４７ｂに表示する。又は、データ処理部４５からの起動信号及び状況情報をＬＥＤ駆動回路４７Ｄを介して発光ダイオードパネル４７ｄに表示する。必要に応じて他の表示方法により表示することもできる。
聴覚により伝達する場合は、データ処理部４５からの起動信号及び状況情報を、音響増幅器４７Ａを介してスピーカー４７ａから音声により知らせる。
【００２４】
状況情報送受信装置６の具体的な構成及び動作の一例を、図６を用いて、以下に説明する。
状況情報送受信装置６において、前記状況情報送信装置３から送信された状況情報信号は受信アンテナ６０Ａで受信され、該受信信号のうちフィルタ回路６０Ｂで所定の周波数のみ通過させ、該通過した受信信号を高周波増幅回路６０Ｃで増幅し、該増幅した受信信号を発振回路６０ｄが発振する所定の周波数の信号で復調回路６０Ｄで復調し、該信号を波形整形回路６０Ｅで波形整形した後、該状況情報信号をデータ処理部６０Ｆ（ＣＰＵ６０Ｆ１　、ＲＯＭ６０Ｆ２　、ＲＡＭ６０Ｆ３　から構成される。）で、その内容を認識分析した後、ＲＡＭ６０Ｆ３　に保存する。
また、前記データ処理部６０Ｆで認識分析し且つ保存された状況情報信号の他の装置への送信動作は、以下のようにして行われる。
前記データ処理部６０Ｆから読み出された状況情報信号は波形整形回路６１Ｅで波形整形し、発振回路６１ｄが発振する所定周波数の信号で、変調回路６１Ｄで変調し、高周波増幅回路６１Ｃで増幅した後、アンテナ回路６１Ｂを介して送信アンテナ６１Ａから送信する。更に、状況情報送受信装置６には、前記他の装置との状況情報の連絡操作又は送受信操作や、状況情報送受信装置６内での受信した状況情報の伝達手段の選択操作や、データの入力操作のためにデータ入力・操作部（図示せず。）が設けられている。
【００２５】
また、他の装置、即ち、状況情報送信装置３又は集中管理センター７との連絡又は状況情報信号の送受信の方法としては、電話回線を介したデータ伝送方法、携帯電話を用いたｉメールによるデータ伝送方法又は法定内の周波数で微弱又は特定小電力の電波により無線によるデータ伝送方法がある。
【００２６】
他の装置から受信した状況情報の到達の告知及びその内容を携帯者に伝達する伝達手段として、以下の方法がある。
振動により伝達する場合は、データ処理部６０Ｆからの起動信号によりモーター駆動部６３Ｂ及びバイブレーションモーター６３ｂが駆動して振動部（図示せず。）を振動させる。
視覚により伝達する場合は、データ処理部６０Ｆからの起動信号及び状況情報を液晶駆動回路６２Ａを介して液晶表示パネル６２ａに表示する。又は、データ処理部６０Ｆからの起動信号及び状況情報をＬＥＤ駆動回路６４Ｃを介して発光ダイオードパネル６４ｃに表示する。必要に応じて他の表示方法により表示することもできる。
聴覚により伝達する場合は、データ処理部６０Ｆからの起動信号及び状況情報を、音響増幅器６５Ｄを介してスピーカー６５ｄから音声により知らせる。
【００２７】
以上のように、状況情報受信装置４及び状況情報送受信装置６は、伝達手段として振動により伝達する手段、視覚により伝達する手段及び聴覚により伝達する手段を具備するが、これら伝達手段の何れかを選択して使用する切り替え選択手段を設けて特定の伝達手段を選択することもできるし、これら伝達手段をコネクタ等の電気的接続手段を介して接続することにより、必要な伝達手段のみ接続し、不必要な伝達手段は切り離すことができる。即ち、視覚障害者用の場合は、視覚により伝達する手段が不要であり、聴覚障害者の場合は、聴覚により伝達する手段が不要であるから、このような場合は、前記不要な伝達手段を取り除いた障害者のタイプ別の状況情報受信装置４及び状況情報送受信装置６を作成することができる。
【００２８】
前記状況情報受信装置４及び状況情報送受信装置６は、その形状が腕時計のように腕にバンドで固定可能なタイプ、ペンダントタイプ、ブローチタイプ又は携帯電話のように小型のポケットタイプがあり、各種時計機能（図示せず。）を保持させてもよい。
【００２９】
第１の状況情報中継転送装置５Ａは、図１に示すように、１つ以上の状況情報送信装置３Ａ〜３Ｃから送信された、センサー２Ａ〜２Ｄの感知信号２ａ〜２ｄ及び送信器ＮＯ（ナンバー）情報を含む状況情報を有する微弱な電波又は特定電力の電波を受信し、前記状況情報を電波の受信可能範囲外にある状況情報送受信装置４に無線により送信する。更に、第２の状況情報中継転送装置５Ｂ又は集中管理センター７に電話回線又は電力回線を介して前記状況情報を転送する。
【００３０】
第１の状況情報中継転送装置５Ａの具体的な構成及び動作の一例を、図５（ａ）を用いて、以下に説明する。
第１の状況情報中継転送装置５Ａにおいて、前記状況情報送信装置３から送信された状況情報信号は受信アンテナ５０で受信され、該受信信号のうちフィルタ回路５１で所定の周波数のみ通過させ、該通過した受信信号を高周波増幅回路５２で増幅し、該増幅した受信信号を発振回路５３Ａが発振する所定の周波数の信号で復調回路５３で復調し、該信号を波形整形回路５４で波形整形した後、該状況情報信号をデータ処理部５５（ＣＰＵ５５Ａ、ＲＯＭ５５Ｂ、ＲＡＭ５５Ｃから構成される。）で、その内容を認識分析した後、ＲＡＭ５５Ｃに保存する。
【００３１】
第２の状況情報中継転送装置５Ｂは、図１に示すように、第１の状況情報中継転送装置５Ａから転送された状況情報を受信し、前記状況情報を電波の受信可能範囲外にある状況情報送受信装置４に無線により送信する。
【００３２】
第２の状況情報中継転送装置５Ｂの具体的な構成及び動作の一例を、図５（ｂ）を用いて、以下に説明する。
第２の状況情報中継転送装置５Ｂにおいて、前記第１の状況情報中継転送装置５Ａから転送された状況情報信号は電力線及び電力線モデム５６を介して受信され、該状況情報信号はデータ処理部５７（ＣＰＵ５５Ａ、ＲＯＭ５５Ｂ、ＲＡＭ５５Ｃから構成される。）で、その内容を認識分析した後、ＲＡＭ５５Ｃに保存すると共に、状況情報信号を前記データ処理部５７から読み出し、状況情報信号を波形整形回路５８Ａで波形整形し、発振回路５８Ｂ１　が発振する所定周波数の信号で、変調回路５８Ｂ２　で変調し、高周波増幅回路５８Ｃで増幅した後、アンテナ回路５８Ｄを介して送信アンテナ５８Ｅから送信する。
【００３３】
集中管理センター７は第１の状況情報中継転送装置５Ａから転送された状況情報を受信し、それを受信した時刻を付して保存し、各状況情報送信装置３の履歴情報を作成保存すると共に、前記状況情報受信装置４又は状況情報送受信装置６からの連絡や、状況情報の提供の要請に対して必要な情報の連絡又は提供を行う。
【００３４】
集中管理センター７の具体的な構成及び動作の一例を、図７を用いて、以下に説明する。
集中管理センター７において、第１の状況情報中継転送装置５Ａから転送された状況情報データを電力回線及び電話回線モデム７１を介して受信し、該状況情報データは信号変換ユニット７２でパソコン７３に対応する信号に変換され、パソコン７２に伝達される。該状況情報データはパソコン７３で、その内容が認識分析され、保存される。
【００３５】
他の装置、即ち、状況情報受信装置４又は状況情報送受信装置６との連絡又は状況情報信号の送受信の方法としては、電話力線及び電話回線モデム５３を介したデータ伝送方法、携帯電話を用いたｉメールによるデータ伝送方法がある。
【００３６】
以上のような本発明の状況情報通信表示システムにおいては、以下のような有効な機能を有する。
先ず、各状況情報送信装置３（例えば、３Ａ〜３Ｃ）から送信されるフォーマット化された送信データ（例えば、３２ビット）は、図９に示すように、夫々が異なる間隔で一定の時間繰り返し送信（リピート機能）されるので、各状況情報送信装置３から送信される送信信号間で衝突又は緩衝する確率は低くなる（信号衝突防止機能又は信号緩衝防止機能）。前記リピート機能及び信号衝突防止機能又は信号緩衝防止機能を有する送信方法により、状況情報が状況情報送信装置３から状況情報受信装置４又は状況情報送受信装６へ迅速且つ確実に送信される。
【００３７】
更に、状況情報受信装置４、第１の状況情報中継転送装置５Ａ又は状況情報送受信装６は前記送信データの伝送データフォーマット中に記入されたシステム固有の表示ビットＩＤと同一のＩＤを保有している場合のみ前記状況情報を含む送信データの受信が可能であるため、情報の漏洩（セリュリティー）を守ることができる。
【００３８】
また、状況情報送信装置３は市販の各種センサーを有し、法定内の周波数及び微弱電力の電波を送信する送信器であり、状況情報受信装置４及び状況情報送受信装６は市販のマイコンチッブ、送信器、受信器、からなるものであり、集中管理センター７は市販のパソコン、受信器、電話器及びｉメール（モード）機能付携帯電話からなるものであるから、システムを低コストで構成することができる。
【００３９】
【発明の効果】
本発明の状況情報通信表示システムを採用することにより、介護者又は管理者が建物又は敷地の内部又はその近くにいる時には、自身が携帯している状況情報受信装置又は状況情報送受信装置から状況情報を得ることができる。また、介護者又は管理者が携帯している状況情報受信装置又は状況情報送受信装置から状況情報を得ることができない場合には、他の連絡機能を介して他の状況情報受信装置４又は集中管理センター５から状態情報を得ることができる。
【００４０】
更に、本発明の状況情報通信表示システムを採用することにより、介護者又は管理者は前記要介護者自身又は要管理者自身、又はその周囲の状況情報を離れた位置で得ることができるので、介護者又は管理者は要介護者又は要管理者の傍で常に介護又は管理する必要がなくなり、介護又は管理の作業を効率化することができる。更に、身障者自身が携帯用状況情報送送受信装置を携帯して状況情報を得ることにより、障害による不便な点を補うことができる。例えば、視覚障害者に対しては視覚に関する状況情報を、聴覚障害者に対しては聴覚に関する状況情報を、夫々提供することにより、日常生活の不便さを解消することができる。
【００４１】
更に、本発明の状況情報通信表示システムにおいては、要介護者又は要管理者が携帯用状況情報送受信装置又は電波発振器を携帯することにより、状況情報送受信装置の送信機能又は電波発振器から発信される発信電波を前記状況感知装置が感知又は認識して、感知情報として状況情報送信装置に送信し、状況情報送信装置は前記感知情報に基づいて装置番号情報を含む状況情報を送信し、前記身障者又は介護者が存在する領域外にある状況情報受信装置、状況情報送受信装置又は集中管理センターは前記状況情報送信装置から送信された装置番号情報を含む状況情報を受信することにより、該状況情報から前記状況情報送受信装置又は電波発振器を携帯している身障者又は介護者の位置及び周囲の状況を認識することができる。
【００４２】
更に、本発明においては、前記状況情報通信表示システム１のリピート機能及び信号衝突防止機能又は信号緩衝防止機能を有する送信方法により、状況情報が状況情報送信装置３から状況情報受信装置４に直接、又は第１の状況情報中継転送装置５Ａ又は第２の状況情報中継転送装置５Ｂを介して状況情報送受信装置６又は集中管理センター７へ迅速且つ確実に送信される。更に、システム内の各装置間の送信又は受信データの伝送データ中にシステム固有の表示ビット（認証データ）ＩＤを記入し、各装置がそれの認証を行い、且つ、このシステム内での送信又は受信は法定内の周波数で微弱又は特定小電力の電波を用いるので、情報の漏洩を防止することができる。
【図面の簡単な説明】
【図１】本発明の状況情報通信表示システムのシステム構成を示す図である。
【図２】本発明の状況情報通信表示システム中の状況情報送信装置の構成を示す図である。
【図３】本発明の状況情報通信表示システム中の他の実施例の状況情報送信装置の構成を示す図である。
【図４】本発明の状況情報告知システム中の状況情報受信装置の構成を示す図である。
【図５】本発明の状況情報告知システム中の第１の状況情報中継転送装置（図５（ａ））及び第２の状況情報中継転送装置（図５（ｂ））の構成を示す図である。
【図６】本発明の状況情報告知システム中の状況情報送受信装置の構成を示す図である。
【図７】本発明の状況情報告知システム中の集中管理センターの構成を示す図である。
【図８】本発明の状況情報告知システムの各装置間で送信又は受信される伝送データのデーターフォーマットの内容を示す図である。
【図９】本発明の状況情報告知システムにおける複数のセンサー又は複数の基地局送信器から送信される伝送データの状態を示す図である。
【符号の説明】
１　　状況情報通信表示システム
２　　各種センサー
３　　状況情報送信装置
４　　状況情報受信装置
５Ａ　状況情報中継転送装置
５Ｂ　状況情報中継転送装置
６　　状況情報送受信装置
７　　集中管理センター
７３　各種モニター
ＳＢ　センサー固有の表示ビット
ＩＤ　システム固有の表示ビット
ＴＢ　伝送表示ビット
ＲＢ　中継表示ビット
【図１】
2004086817.tif 000003
【図２】
2004086817.tif 000004
【図３】
2004086817.tif 000005
【図４】
2004086817.tif 000006
【図５】
2004086817.tif 000007
【図６】
2004086817.tif 000008
【図７】
2004086817.tif 000009
【図８】
2004086817.tif 000010
【図９】
2004086817.tif 000011